(57)【要約】【課題】  エレベータのかご１の上面に設けられる保守点検用の手摺部を、安定して倒伏状態に保持できるようにすること。【解決手段】  右手摺部４０は縦柱４１と前脚部４３を備えている。また、かご１の上面には縦柱４１を回動可能に支持するとともに縦柱４１を所定距離昇降可能に支持する嵩上台５０が設けられている。前脚部４３は、一端側が縦柱４１に回動可能に取り付けられ、他端側には先端面４７が設けられている。そして、右手摺部４０の倒伏状態において、水平投影面上で、前脚部４３の一端側が他端側よりも嵩上台５０側にくるように構成した。これにより、倒伏時に縦柱４１を安定して保持することができる。【選択図】      図１
2018012569.tif 000002
【特許請求の範囲】
【請求項１】
エレベータかごの上面に設けられて、常時は倒伏状態に保持され、保守点検時には、起立状態に保持される手摺部を有するかご上手摺装置において、
前記手摺部は縦柱と脚部を備えており、
前記かごの上面には前記縦柱を回動可能に支持するとともに前記縦柱を所定距離昇降可能に支持する嵩上台が設けられており、
前記脚部は、一端側は前記縦柱に回動可能に取り付けられ、他端側には先端面が設けられており、
前記手摺部の倒伏状態において、水平投影面上で、前記脚部の一端側が前記他端側よりも前記嵩上台側にくるように構成されていることを特徴とするエレベータのかご上手摺装置。
【請求項２】
前記縦柱に対する前記脚部の回転量を制限するためのストッパが前記脚部に設けられていることを特徴とする請求項１に記載のエレベータのかご上手摺装置。
【請求項３】
前記脚部の先端面は、倒伏状態において、前記かご上面と平行になる構成であることを特徴とする請求項１又は２に記載のエレベータのかご上手摺装置。
【請求項４】
前記嵩上台は断面が前記縦柱の下部を囲う形状をなすとともに、その中に前記縦柱の下部を収容可能であり、前記縦柱の回動面と直交方向の一対の側面には、それぞれ長手が上下方向の長穴が設けられており、
前記縦柱には前記長穴に挿入されるピンが設けられ、前記ピンが前記長穴内を昇降及び回動することによって、前記縦柱が前記嵩上台に対して昇降及び回動可能に構成されており、
前記嵩上台の側面のうち、前記縦柱の下端が回動する側の側面には、前記縦柱の回動時に、前記縦柱の下端が干渉しないための空間を有していることを特徴とする請求項１乃至３の何れかに記載のエレベータのかご上手摺装置。
【発明の詳細な説明】
【技術分野】
【０００１】
本発明は、エレベータの保守点検時にかごの上面に起立して使用するかご上手摺装置に関するものである。
【背景技術】
【０００２】
従来のエレベータのかご上手摺装置は、例えばかごの上面に常時は倒伏状態に保持され、保守点検作業時には起立状態に保持される手摺装置が設けられていた（特許文献１参照）。
【０００３】
この従来の装置について、図により説明する。図４はかご上手摺装置を示す側面図、図５は同じく平面図、図６は同じく正面図である。図７はかご上手摺装置の脚部を示す図、図８はかご上手摺装置の縦柱の傾倒動作の説明図、図９は図８（ａ）のＢ−Ｂ断面図である。
【０００４】
図において、１はかご、２はかごの上面に配置されたかご上機器、１０は常時は倒伏状態に保持され、保守点検時には、起立状態に保持されるかご上手摺装置である。このかご上手摺装置１０は、右手摺部１１と左手摺部１２を備えている。
【０００５】
右手摺部１１及び左手摺部１２は、それぞれ、かご１の奥行き方向に配置された縦柱１３と、２本の縦柱１３の先端部を連結した上手摺１４と、２本の縦柱１３の中間部を連結した下手摺１５と、上手摺１４と下手摺１５を連結した補強部材１６とを有し、これらの縦柱１３〜補強部材１６は角パイプで構成されている。更に前側の縦柱１３の上端部には前脚部１７が揺動自在に取り付けられ、後側の縦柱１３の上端部には角パイプからなる後脚部１８が固定されている。
【０００６】
前脚部１７は、図７に示すように、角パイプからなる脚部材２０と、Ｌ字状をなし一端は脚部材２０に固定され、他端には穴２１が空けられた一対の取付部２２と、縦柱１３に空けられた穴（図示省略）と穴２１とを貫通して、取付部２２を縦柱１３に揺動自在に枢着するピン２３からなっている。また脚部材２０の先端面２０ａは脚部材２０の長手と直交するように構成されている。
２４はかご１に設けられた座金であり、右手摺部１１及び左手摺部１２が倒伏状態のときに、前脚部１７が誤って折り畳まれたり、前脚部１７がぐらついたりするのを防止するものである。
【０００７】
３０ははかご１に固定された嵩上台であり、角パイプで構成され、その高さはかご上機器２よりも高く、各縦柱１３の下方に配置されている。３１は嵩上台３０の上面に固定された連結金具である。
【０００８】
この連結金具３１は、図９に示すように。断面コ字状をなしている。この断面コ字状の開口側３１ａは、図６における中央側を向いており、左右の手摺部１１，１２の連結金具３１の開口側３１ａが互いに対向するように配置されている。３２は連結金具３１の開口側３１ａと直交する面に設けられた一対の長穴、３３は長穴３２の上方を切り欠いて設けられた一対のＵ字穴である。３４は縦柱１３に設けられて長穴３２に挿入された下段ピン、３５は縦柱１３に設けられてＵ字穴３３に挿入自在な上段ピンである。
【０００９】
尚、図８，図９は右手摺部１１の連結金具３１の傾倒動作を示しているが、左手摺部１２も左右対称になるだけで、同じ動作を行なう。また、図６に示すように、前脚部１７及び後脚部１８は、左右の手摺部１１，１２の倒伏時に縦柱１３がかご上機器２よりも高い位置になるような長さに設定されている。
【００１０】
次に、前記従来のかご上手摺装置１０の動作について説明する。保守点検作業時に、かご上手摺装置１０を起立状態に保持している場合には、図８（ａ）に示すように、上段ピン３５がＵ字穴３３に挿入されているため、縦柱１３は起立状態にある。また、前脚部１７の脚部材２０は、図７に示すように、縦柱１３に沿って下垂している。
【００１１】
保守点検作業が終了して、かご上手摺装置１０を倒伏するときは、図８（ｂ）に示すように、右手摺部１１の縦柱１３を持ち上げてＵ字穴３３から上段ピン３５を抜き、図８（ｃ）に示すように、縦柱１３を下段ピン３４を中心にして、図８の反時計方向に回転し、図８（ｄ）に示すように、縦柱１３を９０度傾倒する。
【００１２】
これによって、前脚部１７の脚部材２０の先端面２０ａは、図６に示すように、自重によって縦柱１３から離れ、縦柱１３と脚部材２０が直交した状態で、先端面２０ａがかご１の上面に当接する。このとき、脚部材２０の先端部は座金２４に係止されるため、脚部材２０の先端部が嵩上台３０方向に動くことはなく、安定した状態で保持される。これにより、右手摺部１１は、嵩上台３０，前脚部１７及び後脚部１８によってかご１上に倒伏状態に収納される。また、左手摺部１２も同様に行なう。
尚、保守点検作業時には、上記と逆の手順によって、かご上手摺装置１０を起立状態にする。
【先行技術文献】
【特許文献】
【００１３】
【特許文献１】特開２０１５―９９０７号公報
【発明の概要】
【発明が解決しようとする課題】
【００１４】
しかしながら、前記従来のかご上手摺装置１０は、右手摺部１１及び左手摺部１２を安定して倒伏状態に保持するために、かご１に座金２４を設けなければならないという問題があった。
【課題を解決するための手段】
【００１５】
本発明は、エレベータかごの上面に設けられて、常時は倒伏状態に保持され、保守点検時には、起立状態に保持される手摺部を有するかご上手摺装置において、前記手摺部は縦柱と脚部を備えており、前記かごの上面には前記縦柱を回動可能に支持するとともに前記縦柱を所定距離昇降可能に支持する嵩上台が設けられており、前記脚部は、一端側は前記縦柱に回動可能に取り付けられ、他端側には先端面が設けられており、前記手摺部の倒伏状態において、水平投影面上で、前記脚部の一端側が前記他端側よりも前記嵩上台側にくるように構成されていることを特徴とするものである。
【００１６】
また本発明は、前記縦柱に対する前記脚部の回転量を制限するためのストッパが前記脚部に設けられていることを特徴とするものである。
更に本発明は、前記脚部の先端面は、倒伏状態において、前記かご上面と平行になる構成であることを特徴とするものである。
【００１７】
また本発明は、前記嵩上台は断面が前記縦柱の下部を囲う形状をなすとともに、その中に前記縦柱の下部を収容可能であり、前記縦柱の回動面と直交方向の一対の側面には、それぞれ長手が上下方向の長穴が設けられており、前記縦柱には前記長穴に挿入されるピンが設けられ、前記ピンが前記長穴内を昇降及び回動することによって、前記縦柱が前記嵩上台に対して昇降及び回動可能に構成されており、前記嵩上台の側面のうち、前記縦柱の下端が回動する側の側面には、前記縦柱の回動時に、前記縦柱の下端が干渉しないための空間を有していることを特徴とするものである。
【発明の効果】
【００１８】
本発明によれば、かごに座金を設けなくても、かご上手摺装置を安定して倒伏状態に保持することができる。
【図面の簡単な説明】
【００１９】
【図１】本発明の実施の形態によるかご上手摺装置の右手摺部を示す図である。
【図２】本発明の実施の形態によるかご上手摺装置の縦柱の傾倒動作の説明図である。
【図３】図２（ａ）のＡ−Ａ断面図である。
【図４】従来のかご上手摺装置を示す側面図である。
【図５】従来のかご上手摺装置を示す平面図である。
【図６】従来のかご上手摺装置を示す正面図である。
【図７】従来のかご上手摺装置の脚部を示す図である。
【図８】従来のかご上手摺装置の縦柱の傾倒動作の説明図である。
【図９】図８（ａ）のＢ−Ｂ断面図である。
【発明を実施するための形態】
【００２０】
本発明の実施の形態について図により説明する。図１は本実施の形態によるかご上手摺装置の右手摺部を示すものであり、図６の右上部に相当する図である。図２はかご上手摺装置の縦柱の傾倒動作の説明図で図８に相当する図、図３は図２（ａ）のＡ−Ａ断面図である。
【００２１】
図において、４０は右手摺部、４１は縦柱、４２は上手摺あり、それぞれ角パイプからなっている。また、下手摺や補強部材は図４の従来技術と変わりはない。
４３は縦柱４１の中間部のやや先端側に、ピン４４によって枢着された前脚部で、断面コ字状をなしている。このコ字状の開口と反対側の反開口側面４５の上部には、反開口側面４５の上端部を切り欠いたストッパ４６が形成されている。このストッパ４６は前脚部４３がピン４４を中心にして、図１の時計方向に回転できる量を制限するものである。
【００２２】
前脚部４３の先端面４７は、前脚部４３の長手方向に対して傾斜しており、反開口側面４５と先端面４７のなす角度αは鋭角になっている。
また、図１に示すように、前脚部４３は、右手摺部４０の倒伏時に縦柱４１がかご上機器２よりも高い位置になるような長さに設定されている。
【００２３】
５０は嵩上台であり、断面コ字状の本体５１を有し、この本体５１の開口側５１ａには、その上端がかご上機器２よりも高くなるようにプレート５２が取り付けられている。開口側５１ａは、前記の連結金具３１と同様に、図６における中央側を向いており、左右の手摺部の開口側が互いに対向するように配置されている。
【００２４】
また、開口側５１ａの反対側には、プレート５２の高さ位置付近から所定距離だけ上方まで空間５３が開けられている。この空間５３は図２（ｂ）に示すように、縦柱４１が回転するときに、縦柱４１の下端部が本体５１に干渉しないためのものである。
【００２５】
５４は本体５１の開口側５１ａと直交する面に設けられた一対の長穴、５５は縦柱４１に設けられて長穴５４に挿入されたピンである。５６はプレート５２に設けられたストッパであり、図２（ａ）に示すように、縦柱４１が起立状態にあるときに、縦柱４１の下端部を支持するものである。
【００２６】
次に、本実施の形態の動作について説明する。保守点検作業時に、右手摺部４０を起立状態に保持している場合には、図２（ａ）に示すように、縦柱４１がストッパ５６に支持されて起立状態にある。また前脚部４３は、図１に示すように、縦柱４１に沿って下垂している。
【００２７】
保守点検作業が終了して、右手摺部４０を倒伏するときは、図２（ｂ）に示すように、縦柱４１を持ち上げてピン５５を中心にして、図２の反時計方向に回転し、図２（ｃ）に示すように、縦柱４１を９０度傾倒する。
【００２８】
これによって、前脚部４３の先端面４７は、図１に示すように、自重によって縦柱４１から離れ、かご１の上面に当接する。
そして、ピン４４を中心にして、ストッパ４６が縦柱４１に当たるまで、前脚部４３を、図１の時計方向に動かしてやると、縦柱４１と前脚部４３の反開口側面４５とが鋭角αをなす状態で、先端面４７がかご１の上面に当接する。
即ち、縦柱４１の先端側（図１の左方）と前脚部４３の長手方向とのなす角度αが鋭角になる。
【００２９】
別の視点から見ると、前脚部４３の長手方向とかご１上面の嵩上台５０方向とのなす角度が鋭角αとなる。したがって、先端面４７は嵩上台５０方向に動くことはなく、右手摺部４０は安定した状態で保持される。
換言すれば、水平投影面上で、前脚部４３の一端側（ピン４４側）が他端側（先端面４７側）よりも嵩上台５０側にくるため、右手摺部４０は安定した状態で保持される。
【００３０】
また、保守点検作業時には、上記と逆の手順によって、右手摺部４０を起立状態にする。
尚、右手摺部４０の後脚部については、前脚部４３と同様に、縦柱４１に枢着してもよいし、また従来の後脚部１８のように、縦柱４１に固定してもよい。更に、前脚部４３の縦柱４１への取付位置は、中間部のやや先端側に限ることはなく、縦柱４１の上端部など他の箇所でもよい。
【００３１】
これにより、従来のようにかご１に座金２４を設けなくても、右手摺部４０を安定した状態で保持することができる。
尚、図１〜図３では右手摺部４０について説明しているが、左手摺部も左右対称になるだけで、同じ動作を行なう。
【００３２】
更に本実施の形態は、図３に示すように、本体５１及びプレート５２と縦柱４１との隙間が少ないので、図２（ａ）に示す縦柱４１の起立時に、縦柱４１の起立状態が安定するという利点がある。
これに対して従来装置は、図９に示すように、連結金具３１の開口側３１ａの反対側の面と縦柱１３との隙間が大きいため、保守点検作業中に縦柱１３が安定しにくい可能性がある。更に、図８（ｂ）に示すように、何かの拍子に縦柱１３が持ち上がって上段ピン３５がＵ字穴３３から外れると、縦柱１３が大きく傾く虞もある。
上記のように、本実施の形態は縦柱４１の起立時の安定性の面でも優れている。
【００３３】
前記の実施の形態では、ストッパ５６をプレート５２に設けているが、本体５１側に設けてもよい。またプレート５２と本体５１を一体構造としてもよい。
更に、ストッパ５６を省略することもできる。この場合、縦柱４１の起立時には、ピン５５が長穴５４の底部に当接して縦柱４１を支持することになる。更にまた、ストッパ５６を省略する場合、長穴５４を更に下方に伸ばして、かご１で縦柱４１を直接支持することも可能である。
また、縦柱４１や嵩上台５０などの形状は、断面角パイプ状に限定されるものではない。
【符号の説明】
【００３４】
１  かご
２  かご上機器
４０  右手摺部
４１  縦柱
４３  前脚部
４４，５５  ピン
４５  反開口側面
４６，５６  ストッパ
４７  先端面
５０  嵩上台
５１  本体
５２  プレート
５３  空間
５４  長穴
【図１】
2018012569.tif 000003
【図２】
2018012569.tif 000004
【図３】
2018012569.tif 000005
【図４】
2018012569.tif 000006
【図５】
2018012569.tif 000007
【図６】
2018012569.tif 000008
【図７】
2018012569.tif 000009
【図８】
2018012569.tif 000010
【図９】
2018012569.tif 000011